【事件の表示】
　特願２００３−３２５２５１号「ヘアカーラー」拒絶査定不服審判事件〔平成１７年３月１０日出願公開、特開２００５−５８７０２号、請求項の数（２）〕について、次のとおり審決する。
【結　論】
　原査定を取り消す。
　本願の発明は、特許すべきものとする。
【理　由】
１．手続の経緯・本願発明
　本願は、平成１５年８月１２日の出願であって、平成１９年１２月２６日付けで拒絶査定がなされ、これに対し、平成２０年２月６日に拒絶査定不服審判が請求されたものであって、その請求項１及び２に係る発明（以下「本願発明１及び２」という。）は、平成１９年１１月５日に手続補正された、特許請求の範囲の請求項１及び２に記載された事項により特定される次のとおりのものである。
本願発明１「筒状となる布袋に柔軟性のある素材を、柔軟さを保ちながら且つ折り曲がらないように充填し、両端部近くの部位を絞り縫いして閉じ、左右いずれか一端部に、伸ばした時に二つ折りした輪の先が他方の絞り部に巻きつけられる長さを持ったゴム製の紐体を取り付けたことを特徴とするヘアカーラー。」
本願発明２「太さの異なるほぼ同長の筒状となる布袋に柔軟性のある素材を、柔軟さを保ちながら且つ折り曲がらないように充填し、両端部近くの部位を絞り縫いして閉じ、その両端部を閉じた筒状の布袋を直列に縫いつけて連結すると共にその連結部に、伸ばした時に二つ折りした輪の先が他方の絞り部に巻きつけられる長さを持ったゴム製の紐体の両端部を取りつけたことを特徴とするヘアカーラー。」
　
２．原査定の拒絶の理由
　原査定の拒絶の理由は、概略、以下のとおりである。
　本願請求項１に係る発明は、本願出願前に頒布された刊行物である実願昭５９−９２５４８号（実開昭６１−１０１０１号）のマイクロフィルムに記載された発明、実願平２−５５５１０号（実開平４−１４００２号）のマイクロフィルムに記載された発明、及び、実願平２−６４８４９号（実開平４−２５６０２号）のマイクロフィルムに記載された発明に基づいて当業者が容易に発明をすることができるものであるから、特許法第２９条第２項の規定により特許を受けることができない。
　
３．引用文献
（１）原査定の拒絶の理由で引用され、本願出願前に頒布された実願昭５９−９２５４８号（実開昭６１−１０１０１号）のマイクロフィルム（以下「引用文献１」という。）には、図１Ａ〜４Ｃとともに以下の記載がある。
・記載１−１
「本発明は着用者に重量感及び不快感を与えず、かつ、着用者に傷つけることなく、さらに着用者がパーマ液によってよごれることなく、さらに髪全体がふんわりと連続性を保ち、また、思いのままの位置の髪を意のままにパーマ又はセットできる美容シェーバーを提供するものである。」（明細書第３頁第１２行〜第１７行）
・記載１−２
「本発明の美容シェーバーは多孔質で弾性体のブロックで形成してなることを特徴とする。
　多孔質で弾性体のブロックには、ウレタンフォームなどの合成樹脂ゴムで製作されたスポンジが示される。」（明細書第４頁第７行〜第１１行）
・記載１−３
「１は多孔質で弾性体のブロックであり、２はビニル線又は針金線でできた、かつ、防水された結線である。
　ブロックの形状は第１Ａ図、第１Ｂ図、第１Ｃ図、第１Ｄ図及び第１Ｅ図に示すように円柱体、四角柱体、三角柱体、だ円柱体、多角注体又は多角錐体等さまざまの形態をとり得る。」（明細書第４頁第１７行〜第５頁第３行）
・記載１−４
「本考案の美容シェーバーを用いてカール、セット又はパーマを施すには、第２Ａ図及び第２Ｂ図に示すようにブロック１に髪毛３を捲き結線２でブロックを固定し、髪毛３を薬品処理すれば目的が遂行される。」（明細書第５頁第８行〜第１２行）
　上記記載１−１〜１−４の記載事項及び図１〜４の図示内容を総合すると、引用文献１には、以下の引用文献１発明が記載されていると認められる。
「筒状の弾性体のブロックを形成するウレタンフォームなどの合成樹脂ゴムを有し、左右いずれか一端部に、筒状の弾性体のブロックを折り曲げた状態で固定するためのビニル又は針金製の結線を取り付けた美容シェーバー。」
　
（２）同じく引用され、本願出願前に頒布された実願平２−５５５１０号（実開平４−１４００２号）のマイクロフィルム（以下「引用文献２」という。）には、図１及び２とともに以下の記載がある。
・記載２−１
「本考案はパーマネントを行う時、髪をロッドに巻きつけた後に、毛束がロッドから外れないように固定するロッド用止め具に関するものである。」（明細書第１頁第１１行〜第１３行）
・記載２−２
「本考案によるロッド用止め具は、本体（１）の頂部に複数の開口部（２）を形成している。この開口部（２）に輪ゴム（３）を締結する」（明細書第３頁第２行〜第４行）
・記載２−３
「本考案によるロッド用止め具を使用する場合には、事前にロッド（５）のいずれかの端面に止め具を結合しておく。髪を根元部分までロッド（５）に巻きつけた後、片手で髪が緩まないように保持したまま、もう一方の手でロッド（５）の端面に結合した止め具の頂部に締結されている輪ゴム（２）を掴み、ロッド（５）の他端面にある切欠き、または突起に引っ掛けて毛束がロッドからはずれないように固定する。」（明細書第３頁第９行〜第１７行）
　
（３）同じく引用され、本願出願前に頒布された実願平２−６４８４９号（実開平４−２５６０２号）のマイクロフィルム（以下「引用文献３」という。）には、図１及び２とともに以下の記載がある。
・記載３−１
「この考案は、ロットの一端に駒の付いたゴムを取り付けたものである。
従来のロットは髪をまき付けたあと、ロットの両端にある溝に輪ゴムを引っ掛けて止めていたので、引っ掛けにくく、時間がかかって能率が悪かった。
　本案はその欠点を除くために考案されたもので、これを図面について説明すれば、ロット１に駒３のついたゴムを付けたものである。
このような構造であるから、髪の毛をまいた後、ゴム２を引っ張って駒３を穴に入れると簡単にとめる事ができるので極めて便利である。
　なお、図のように駒３をはずしてゴム２を輪ゴムに換えてもよい。」（明細書第１頁第８行〜第２３行）
　
（４）同じく引用され、本願出願前に頒布された実願昭５９−１３１５６号（実開昭６０−１２６１０３号）のマイクロフィルム（以下「引用文献４」という。）には、図１〜９とともに以下の記載がある。
・記載４−１
「即ち実施例の図面に示したように、細長筒形の各紙製袋体１の内部に第1図，第３図に示したように、基端の屈曲部Ｒと先端Ｓを各突出せしめてテープ状の金属又は合成樹脂製芯体２を挿通するか又は第２図，第４図に示したように上記同様基端の屈曲部Ｒと先端Ｓを各突出せしめて線状の金属又は合成樹脂製芯体２を挿通すると共に該芯体周の上記袋体１内に公知の摩擦又は通気により発熱する発熱剤３を充填した後袋体１の長手両端を封着Ｆして成る各カール具本体を上下接離自在に重合着して成るものであつて、なお図面中４はカール具本体の重合状態を保持するため袋体１より突出した芯体２の両端Ｒ,Ｓを挿掛する挿掛孔ｈを具有する硬質ゴム等より成る保持具、５は本カール具本体の不使用時に被覆するビニール等の気密性包装体、６は毛髪を示したものである。」（明細書第２頁第６行〜第３頁第２行）
・記載４−２
「本案は以上のように構成したのでこれを使用する場合は先づ包装体５を切破してカール具本体を取出し次でこれに毛髪６の所用部分を第３図，第４図又は第９図(A),(B)に示したように捲回した後第５図に示したように芯体２の袋体１より突出した両端部Ｒ,Ｓを保持具４の挿掛孔ｈに挿掛すれば装着は完了する。」（明細書第３頁第８行〜第１４行）
　
（５）本願出願前に頒布された米国特許第２０６１３５６号明細書（以下「引用文献５」という。）には、図１〜５とともに以下の記載がある。
・記載５−１
「This invention relates to hair wavers」（第１頁左欄第１行、和訳：本発明はヘアウェーバーに関連する）
・記載５−２
「One important object of the invention is to provide a novel form of hair waving device of highly elastic character.」（第１頁左欄第３行〜第５行、和訳：本発明の重要な目的は、高弾性を特徴とする、髪の毛にウェーブを作るための装置の新規な形状を提供することである。）
・記載５−３
「In the embodiment of the invention as here shown there is provided a core 10 of elongated cylindrical form and this core may be made of any suitable highly elastic material, sponge rubber being preferably used. Preferably the core is provided with rounded ends. An inner cover 11 is wrapped around the core 10 and is made preferably of paper or other material such as fabric, leather or a synthetic pliable material. Over the inner wrapper extends an outer wrapper or cover 12 preferably in the form of a seamless tube of knitted or woven fabric although paper, leather or synthetic material may be also used.
An elastic band 13 extends from end to end of the body of the device and is secured at each end by a wrapping 14 which also pinches in the covering material to close over the ends of the core. The elastic band may be made of any desired material such as rubber, fabric, leather or synthetic materials and the wrapping may be of thread or wire.」（第１頁左欄第３７行〜右欄第２行、和訳：本発明の実施例はここに示すように、細長い円筒形のコア１０を備え、コアは適宜の高弾性体、好ましくはスポンジゴム、から作られる。好ましくはコアは丸い端部を備える。インナーカバー１１がコア１０に巻き付いており、インナーカバー１１は好ましくは紙、又は、布・皮・柔軟な合成材料のような他の材料から作られている。この内側の包装部材上を外側の包装部材又はカバー１２が覆っている。カバー１２は、紙・皮・合成材料も使われるが、好ましくは編まれたり織られたりした布を、継ぎ目のない筒状としたものである。
弾性バンド１３は装置の本体の一端から他端まで伸び、両端をラッピング１４によって固定されている。ラッピング１４はコアの両端を包装材で覆うために括ってもいる。弾性バンドはゴム・布・皮・合成材料のような望ましい材料で作られ、ラッピングは糸や針金から作られる。）
　上記記載５−１〜５−３の記載事項及び図１〜５の図示内容を総合すると、引用文献５には、以下の引用文献５発明が記載されていると認められる。
「筒状となる布製のカバーに、コアを形成するスポンジゴムのような高弾性体、及び、インナーカバーを形成する柔軟な合成材料を、弾性を保ちながら且つ折り曲がらないように充填し、両端部近くの部位を糸や針金から作られるラッピングで括って閉じ、ゴム製の弾性バンドの両端をラッピングによって取り付けたヘアウェーバー。」
　
４．対比・判断
（１）本願発明１について
ア　本願発明１と引用文献１発明とを対比すると、引用文献１発明の「筒状の弾性体のブロックを形成するウレタンフォームなどの合成樹脂ゴム」は、柔軟性を有することが自明であるから、本願発明１の「柔軟性のある素材」に相当し、以下同様に、「結線」は「紐体」に、「美容シェーバー」は「ヘアカーラー」にそれぞれ相当する。
　そうすると、本願発明１と引用文献１発明とは、「柔軟性のある素材を有し、左右いずれか一端部に、紐体を取り付けたヘアカーラー。」である点で一致し、次の点で相違する。
相違点：本願発明１では、「筒状となる布袋に柔軟性のある素材を、柔軟さを保ちながら且つ折り曲がらないように充填し、両端部近くの部位を絞り縫いして閉じ」、紐体が「伸ばした時に二つ折りした輪の先が他方の絞り部に巻きつけられる長さを持ったゴム製」であるのに対して、引用文献１発明では、布袋を有さず、紐体が「ビニル又は針金製」であり、伸ばした時に二つ折りした輪の先が他方の絞り部に巻きつけられるものでない点。
　
　そこで、上記相違点について検討する。
　引用文献２及び３には、輪の形状をしたゴム製の紐体を用いる構成が記載されているものの、一端部に取り付けられた紐体を伸ばして二つ折りした輪の先を他方の絞り部に巻きつけるものではなく、その他方の絞り部でゴム製の紐体の輪の先が巻きつくための、布袋の両端部近くの部位を絞り縫いして閉じる構成も示されていない。
　引用文献４も、芯体２の両端Ｒ,Ｓを挿掛する挿掛孔ｈを具有する硬質ゴム等より成る保持具を有することが記載されているものの、上記伸ばした時に二つ折りした輪の先が他方の絞り部に巻きつけられるようなものではない。
　そして、そもそも、引用文献１発明は第２Ｂ図に示されるように筒状の弾性体が折り曲げた状態で結線により固定されるものであって、それに適した伸びないビニル又は針金製の結線を取り付けるものであり、引用文献１発明に引用文献２〜４に記載される事項を適用して、布袋の両端部近くの部位を「絞り縫いして」閉じ、ゴム製の紐体を「伸ばした時に二つ折りした輪の先が他方の絞り部に巻きつけられる長さ」とすることは、当業者が容易に想到し得たものとはいえない。
　また、引用文献５発明は、筒状となる布袋に柔軟性のある素材を、柔軟さを保ちながら且つ折り曲がらないように充填し、両端部近くの部位を閉じるものである。
　しかしながら、引用文献５発明のゴム製の弾性バンドは、その両端をラッピングによって取り付けられており、本願発明１のように一端部にのみ取り付けられ、伸ばした時に二つ折りした輪の先が他方の端部に巻きつけられる長さを持ったものではない。
よって、引用文献１発明において、布袋の両端部近くの部位を「絞り縫いして」閉じ、ゴム製の紐体を「伸ばした時に二つ折りした輪の先が他方の絞り部に巻きつけられる長さ」とすることは、当業者が容易に想到し得たものともいえない。
　したがって、本願発明１について、引用文献１発明に、引用文献２〜４に記載された事項及び引用文献５発明を適用して、当業者が容易に発明をすることができたとすることはできない。
　
イ　さらに、本願発明１と引用文献５発明とを対比すると、引用文献５発明の「布製のカバー」は、本願発明１の「布袋」に相当し、以下同様に、「コアを形成するスポンジゴムのような高弾性体、及び、インナーカバーを形成する柔軟な合成材料」は「柔軟性のある素材」に、「弾性を保ちながら」は「柔軟さを保ちながら」に、「ゴム製の弾性バンド」は「ゴム製の紐体」に、「ヘアウェーバー」は「ヘアカーラー」に、それぞれ相当する。
　そうすると、本願発明１と引用文献５発明とは、「筒状となる布袋に柔軟性のある素材を、柔軟さを保ちながら且つ折り曲がらないように充填し、両端部近くの部位を閉じ、ゴム製の紐体を取り付けたヘアカーラー。」である点で一致し、次の点で相違する。
相違点：本願発明１では、布袋を「絞り縫いして閉じ」、「左右いずれか一端部に、伸ばした時に二つ折りした輪の先が他方の絞り部に巻きつけられる長さを持ったゴム製の紐体を取り付けた」のに対して、引用文献５発明では、布袋を「糸や針金から作られるラッピングで括って閉じ」、「ゴム製の紐体の両端をラッピングによって取り付けた」点。
　
　そこで、上記相違点について検討する。
　引用文献２及び３には、左右いずれか一端部に、輪の形状をしたゴム製の紐体を取り付ける構成が記載されているものの、上記４．（１）アで検討したように、引用文献１〜４には、ゴム製の紐体の輪の先が巻きつくように、布袋の両端部近くの部位を絞り縫いして閉じる構成、及び、一端部に取り付けられた紐体を伸ばして二つ折りした輪の先を他方の絞り部に巻きつける構成は記載も示唆もされておらず、また、これらの構成を採用することは当業者にとって自明なものでもない。
　よって、布袋の両端部近くの部位を「絞り縫いして」閉じ、ゴム製の紐体を「伸ばした時に二つ折りした輪の先が他方の絞り部に巻きつけられる長さ」とすることは、当業者が容易に想到し得たものとはいえない。
　したがって、本願発明１について、引用文献５発明に、引用文献発明１及び引用文献２〜４に記載された事項を適用して、当業者が容易に発明をすることができたとすることはできない。
　
　以上のようであるから、本願発明１について、引用文献１及び５発明並びに引用文献２〜４記載の事項に基づいて、当業者が容易に発明をすることができたとすることはできない。
　そして、本願発明１はその構成により、明細書記載の効果を奏するものと認められる。
　
（２）本願発明２について
　本願発明２は、本願発明１の発明特定事項に加えて、さらに、「太さの異なるほぼ同長の筒状となる布袋」を設け、「その両端部を閉じた筒状の布袋を直列に縫いつけて連結すると共にその連結部に、」「ゴム製の紐体の両端部を取りつけた」ものである。したがって、本願発明２は、本願発明１の発明特定事項をすべて含み、さらに限定を加えたものといえる。
　そして、本願発明１は、上記４．（１）で述べたように、引用文献１及び５発明並びに引用文献２〜４記載の事項をあわせて考えても、当業者が容易に発明をすることができたとすることはできないものであるから、本願発明２についても、同様に、引用文献１及び５発明並びに引用文献２〜４記載の事項に基づいて、当業者が容易に発明をすることができたとすることはできない。
　そして、本願発明２はその構成により、明細書記載の効果を奏するものと認められる。
　
５．むすび
　以上のとおりであるから、本願は、原査定の拒絶理由を検討してもその理由によって拒絶すべきものとすることはできない。 
　また、他に本願を拒絶すべき理由を発見しない。 
　よって、結論のとおり審決する。